(57)【要約】【課題】バスバーを軽量化し、そのことによってコストも低減できる電源装置を提供すること。【解決手段】ねじ端子２が設けられている電池１が複数平行な姿勢で横に配置され、隣接する該電池１のねじ端子２間にバスバー１３を架設すると共に、該ねじ端子２に螺合したナット５にてバスバー１３の端部を該ねじ端子２に固定した電源装置１である。バスバー１３が板状のバスバー本体１０と、バスバー本体１０の両端部に形成された断面略半円形状または断面Ｕ字形の係合孔１１とを有する。係合孔１１内にねじ端子２が挿入され、ねじ端子２に螺合されたナット５によってバスバー１３の両端部がナット５と電池１の上端面との間に挟持されている。【選択図】図１
2012059639.tif 000002
【特許請求の範囲】
【請求項１】
ねじ端子が設けられている電池が複数平行な姿勢で横に配置され、隣接する該電池のねじ端子間にバスバーを架設すると共に、該ねじ端子に螺合したナットにてバスバーの端部が該ねじ端子に固定されている電源装置であって、
該バスバーが板状のバスバー本体と、該バスバー本体の両端部に形成された断面略半円形状または断面Ｕ字形の係合孔とを有し、該係合孔内に該ねじ端子が挿入され、該ねじ端子に螺合されたナットによってバスバーの端部が該ナットと該電池の上端面との間に挟持されている電源装置。
【請求項２】
ねじ端子を有する電池間に架設され、該ねじ端子に螺合されたナットによって該電池に固定される電源装置用のバスバーであって、
板状のバスバー本体と、該バスバー本体の両端部に形成された略半円形状または断面Ｕ字形の係合孔とを有し、該係合孔内に該ねじ端子が挿入され、該ねじ端子に螺合されたナットによってバスバーの両端部が該ナットと該電池の上端面との間に挟持される電源装置用のバスバー。
【発明の詳細な説明】
【技術分野】
【０００１】
本発明は、複数の電池をバスバーのような剛性の高い導電部材によって接続した電源装置および電源装置に使用するバスバーに関する。
【背景技術】
【０００２】
電気自動車や、内燃機関とモーターの両方で走行されるハイブリッドカー等の電動車両では、走行用モーターに電力を供給する電源として電池を多数個接続した電源装置が使用されている。
【０００３】
この種の用途に使用される電源装置は、大出力のモーターに電力を供給するために出力電圧を高くしている。そのため、多数の電池を直列に接続している。現在のハイブリッドカーに搭載される電源装置は、多数個の電池を直列に接続して、出力電圧を数百ボルトと高くしている。
【０００４】
例えば、リチウムイオン電池などの二次電池を大電流を流す電源装置として使用する場合、図３に示すように、複数の電池１，１を平行な姿勢で横に配置し、隣接する電池１のねじ端子２間にバスバー３を架設すると共に、ねじ端子２に螺合したナット５にてバスバー３の端部をねじ端子２に固定し電源装置を構成している。
【０００５】
使用するバスバー３は、図４に示すように、両端部に通孔９，９が形成されており、このバスバー３に形成された通孔９に電池１のねじ端子２を挿通させ、スペーサ４及びナット５を使用してねじ止めしている。例えば、特開２０００−３１５４９２号公報（特許文献１）および特開２００９−８７７２１号公報（特許文献２）参照。
【０００６】
しかし、このような形状のバスバー３を使用すると、多数の電池１をバスバー３で連結するため重量がかなり大きいものとなる。
【先行技術文献】
【特許文献】
【０００７】
【特許文献１】特開２０００−３１５４９２号公報
【特許文献２】特開２００９−８７７２１号公報
【発明の概要】
【発明が解決しようとする課題】
【０００８】
本発明は上記課題を解決するためになされたもので、バスバーを軽量化し、そのことによってコストも低減できる電源装置および電源装置に使用するバスバーを提供することにある。
【課題を解決するための手段】
【０００９】
すなわち、本発明は以下を特徴とする。
（項目１）  ねじ端子が設けられている電池が複数平行な姿勢で横に配置され、隣接する該電池のねじ端子間にバスバーを架設すると共に、該ねじ端子に螺合したナットにてバスバーの端部が該ねじ端子に固定されている電源装置であって、
該バスバーが板状のバスバー本体と、該バスバー本体の両端部に形成された断面略半円形状または断面Ｕ字形の係合孔とを有し、該係合孔内に該ねじ端子が挿入され、該ねじ端子に螺合されたナットによってバスバーの端部が該ナットと該電池の上端面との間に挟持されている電源装置。
（項目２）  ねじ端子を有する電池間に架設され、該ねじ端子に螺合されたナットによって該電池に固定される電源装置用のバスバーであって、板状のバスバー本体と、該バスバー本体の両端部に形成された略半円形状または断面Ｕ字形の係合孔とを有し、該係合孔内に該ねじ端子が挿入され、該ねじ端子に螺合されたナットによってバスバーの両端部が該ナットと該電池の上端面との間に挟持される電源装置用のバスバー。
【発明の効果】
【００１０】
電源装置に使用するバスバーは、板状のバスバー本体と、バスバー本体の両端部に形成された断面略半円形状または断面Ｕ字形の係合孔とを有し、係合孔内にねじ端子が挿入され、ねじ端子に螺合されたナットによってバスバーの端部がナットと電池の上端面との間に挟持されているので、本発明のバスバーは、従来のバスバーの通孔の外側端部を切断した形状となり、そのためバスバーを従来に比べて軽量化でき、また製造コストも低減できる。このように、従来のバスバーの端部を切断したとしても、隣接する電池のねじ端子間をバスバーで接続したときの電気抵抗値は従来に比べて変化することがない。
【図面の簡単な説明】
【００１１】
【図１】図１は、本発明の電源装置の概略正面図である。
【図２】図２（ａ）、（ｂ）、（ｃ）は、それぞれ本発明のバスバーの平面図、正面図、側面図である。
【図３】図３は、従来の電源装置の説明図である。
【図４】図４は、従来のバスバーの斜視図である。
【発明を実施するための形態】
【００１２】
以下、本発明の実施の形態について図面を参照しながら詳細に説明する。
【００１３】
図１〜図２に示すように、本発明の電源装置６は、ねじ端子２が設けられている箱状の電池１を複数平行な姿勢で横に配置して構成されている。
【００１４】
電源装置６を構成する電池１の上端部に電気絶縁性の蓋部８が配置され、複数の電池１が連結されている。電池１の上端部に正極と負極の出力端子がそれぞれ設けられている。両極の出力端子はねじ端子２によって構成され、このねじ端子２に対して剛性の高い導電部材であるバスバー１３がナット５を使用してねじ止めされている。必要に応じてナット５と蓋部８との間に電気絶縁性のスペーサを配置することもできる。
【００１５】
バスバー１３は、板状のバスバー本体１０と、該バスバー本体１０の両端部に形成された断面略半円形状または断面Ｕ字形の係合孔１１とを有する。係合孔１１の内径は、上記ねじ端子２の外径とほぼ同じか又はやや大きく形成されている。
【００１６】
バスバー１３は、従来より公知の方法で、電気抵抗の小さい金属板を所定の幅と長さに加工して製作することができる。あるいは、図４で示した従来のバスバー３を通孔９の箇所で切断することにより、製作することもできる。
【００１７】
このようにして構成されるバスバー１３は、隣接する電池１、１のねじ端子４，４間に架設される。そして、バスバー１３の係合孔１１内に電池１のねじ端子４を挿入し、その上からねじ端子４にナット５を螺合することにより、バスバー１３の端部はナット５と電池１の上端面との間に挟持されて電源装置６が構成される。
【００１８】
なお、バスバー１３を両ねじ端子２間に架設する際には、バスバー１３を傾斜させた状態でバスバー１３の係合孔１１にねじ端子２を挿入してもよく、このようにすればバスバー１３の取り付けが容易になる。
【産業上の利用可能性】
【００１９】
電気自動車やハイブリッドカー等の電動車両用の電源装置として使用することができる。
【符号の説明】
【００２０】
１    電池
２    ねじ端子
５    ナット
６    電源装置
１０  バスバー本体
１１  係合孔
１３  バスバー
【図１】
2012059639.tif 000003
【図２】
2012059639.tif 000004
【図３】
2012059639.tif 000005
【図４】
2012059639.tif 000006